(57)【要約】  本発明は、人体を介して通信を行うモジュール（２）を含む携帯用電子機器（１）に関する。モジュールは、装着者の皮膚と電気接触を行う接触面（３）を有する。携帯用電子機器は、モジュールを含むベース（４，１４）と、電子機器を皮膚と接触するようにして装着者の身体の一部に固着するための手段（５Ａ，５Ｂ）と、私的アクセサリ（７）又は時計ケース（８）を電子機器に取り付けるための手段（６Ａ，６Ｂ）とを含む。携帯用電子機器は、ベース（４，１４）又は固着手段（５Ａ，５Ｂ）上に配置された、私的アクセサリ（７）又は時計ケース（８）を取り付けるための手段（６Ａ，６Ｂ）を含むことを特徴とする。【選択図】      図４
2014524702.tif 000002
【特許請求の範囲】
【請求項１】
人体を介して通信を行うモジュール（２）を含む携帯用電子機器（１）であって、前記モジュールは、装着者の皮膚と電気接触を行う接触面（３）を有し、前記携帯用電子機器は、
−前記モジュールを含むベース（４，１４）と、
−前記電子機器を皮膚と接触するようにして装着者の身体の一部に固着するための手段（５Ａ，５Ｂ）とを含み、
前記ベース（４，１４）又は前記固着手段（５Ａ，５Ｂ）上に配置された、私的アクセサリ（７）又は時計ケース（８）を取り付けるための手段（６Ａ，６Ｂ）を含むことを特徴とする、携帯用電子機器。
【請求項２】
前記固着手段（５Ａ，５Ｂ）は、時計ケース、又は私的アクセサリの留め具が配置されたベルトからなる、または含むことを特徴とする、請求項１に記載の携帯用電子機器。
【請求項３】
前記ベルト（５Ａ，５Ｂ）は、前記ベースに取り付ける為の時計の留め具を含むことを特徴とする、請求項２に記載の携帯用電子機器。
【請求項４】
前記ベース（４，１４）は、前記通信モジュール（２）を収納するためのハウジング（１２）を含むことを特徴とする、請求項１乃至３のいずれか一項に記載の携帯用電子機器。
【請求項５】
前記ハウジングは、前記モジュール（２）を着脱可能に収納するよう構成されたことを特徴とする、請求項４に記載の携帯用電子機器。
【請求項６】
装着者への固着、または装着者からの離隔を検出するための手段（１６，１７，１８）を含むことを特徴とする、請求項１乃至５のいずれか一項に記載の携帯用電子機器。
【請求項７】
容量性板（１７，１８）を備えた検出回路を含むことを特徴とする、請求項６に記載の携帯用電子機器。
【請求項８】
認証及び固着の後の所定の時間、及び／又は離隔を検出するまでの間、取引を行うよう構成されたことを特徴とする、請求項７に記載の携帯用電子機器。
【請求項９】
装着者による署名を行うための動作を検出する手段を含むことを特徴とする、請求項８に記載の携帯用電子機器。
【発明の詳細な説明】
【技術分野】
【０００１】
本発明は、電子取引の間に個人を識別するためのシステムに関する。
より詳細には、本発明は、特許文献１、又は非特許文献１に記載のｅＧｏ型の機器のような、人体を介して通信を行う、デジタル識別個人用機器に関する。
【背景技術】
【０００２】
出願人による特許文献１には、指紋によりユーザの事前認証が行われる、人体を介した通信の要点が記載されている。
本発明は、（時計又はその他のオブジェクトを有する）全ての人が、目立たず洗練された方法で個人用デジタル識別機器を携帯できるようにすることを目的とする。
【先行技術文献】
【特許文献】
【０００３】
【特許文献１】欧州特許第１６９５２９６Ｂ１号明細書
【非特許文献】
【０００４】
【非特許文献１】ウェブサイトhttp://ego-project.eu/
【発明の概要】
【発明が解決しようとする課題】
【０００５】
具体的には、単一の機器（新たなオブジェクト又はアクセサリを備えていないもの）が、機器のユーザの身体からの離隔を検出できることが必要である。
また、安全性を満たした、容易かつ美的に優れた方法でデジタル署名を行うために、動作検出機能が機器に備えられていることも必要とされる。
【課題を解決するための手段】
【０００６】
本発明の要点は、人体に固着するためのシステム、より具体的にはベルトを備え、人体を介して通信を行うモジュールを含む機器に、いずれかの時計ケース又はその他のアクセサリを組み合わせることである。従って、人体を介して通信を行う機器は、時計又はアクセサリの美的に優れたデザインにより隠される。好ましくは、具体的にはアクセサリ又は時計を装着又は取り外して使用するために、アクセサリは通信モジュールから着脱可能である。
【０００７】
この目的のため、本発明は、人体を介して通信を行うモジュール（「ｅＧｏ」型）を含む携帯用電子機器に関する。モジュールは、装着者の皮膚と電気接触を行う接触面を有する。さらに携帯用電子機器は、
−モジュールを含むベースと、
−電子機器を皮膚と接触するようにして装着者の体の一部に固着するための手段と、
−私的アクセサリ又は時計ケースを電子機器に取り付けるための手段と、
を含む。
【０００８】
その他の特徴は以下のとおりである。
−固着手段は、時計ケースの留め具が配置されたベルトを含む。
−ベースは、通信モジュールを収納するためのハウジングを含む。ハウジングは、モジュールを着脱可能に収納するよう構成される。
−機器は、容量性板に基づいて、装着者への固着、または装着者からの離隔を検出する手段を含む。
【０００９】
−機器は、装着者の認証及び装着者への固着の後の所定の時間、及び／又は装着者からの離隔を検出するまでの間、取引又は検証を行うよう構成される。
−機器は、装着者による署名を行うための動作を検出する手段を含む。
本発明は、非限定例を用いて行われる以下の説明と、添付図面とを参照することで、よりよく理解されるだろう。
【図面の簡単な説明】
【００１０】
【図１】本発明に係る、人体を介して通信を行う機器を示す図。
【図２】本発明に係る、人体を介して通信を行うモジュールを、インターフェース及び／又はコネクタの例と共に示す図。
【図３】ディスプレイ装置等のアクセサリを担持した、本発明に係る、人体を介して通信を行う機器を示す図。
【図４】時計ケースを担持した、本発明に係る、人体を介して通信を行う機器を示す図。
【図５】本発明の機器を操作及び／又は使用するステップのフロー図。
【発明を実施するための形態】
【００１１】
全図面を通して、類似の構成要素には同一の参照番号が付与されている。
図１において、本発明の一実施形態に係る携帯用電子機器は、人体を介して通信を行うモジュール２（ｅＧｏ型）を含む。モジュールは、装着者の皮膚と電気接触を行う接触面３を有する。
代替的に、接触面は、モジュールに接している機器の導電性部に付属していてもよい。
【００１２】
機器はまた、モジュール２を含むベース４（又はベースハウジング）を備える。さらに、機器を皮膚と接触するようにして装着者の体の一部に固着するための手段５Ａ，５Ｂを含む。
また機器は、私的アクセサリ７又は時計ケース８を機器に取り付けるための手段６Ａ，６Ｂも含む。
【００１３】
人体を介して通信を行うｅＧｏ型のモジュールは、特許文献１に記載されており、これを参照することにより、モジュールの本質的特徴は本発明に取り入れられる。
本発明に係るモジュールは、指紋センサ等の生体認証の手段を含んでいてもよい。あるいは、モジュールの外部にあるセンサに接続されていてもよい。例えば音声認識手段などのその他の認証手段を用いてもよい。
【００１４】
モジュールは、人体を介してユーザの電気装置と電気的に通信を行うための、より詳細には容量性タイプの手段を含む。モジュールは好ましくは、電気装置へのアクセスを可能とするための、秘密の認証データ及び／又はパスワードを記憶する手段を含む。
さらに、機器又はモジュールは好ましくは、ユーザの生体データを記憶する手段を含む。また好ましくは、偽造防止ステップ（照合、暗号化計算、電子取引の有効化及び／又は承認や、操作の活性化、検出・・・等）を実行するために、マイクロコントローラ等の処理手段を含む。
【００１５】
モジュール及び／又は機器は、無線チップ、アンテナ又はアンテナコントローラ等の、ＲＦ又はＮＦＣ無線通信手段を含んでいてもいなくてもよい。
取引においては、スマートカードの分野で使用されるタイプの操作（アクセス、支払い、カスタマイズ、偽造防止操作・・・）を実行するために、何らかのデータの交換が行われてもよい。
【００１６】
モジュールは、機器、より詳細にはベースに永久的に装着されていてもよく、あるいは取り外し可能であってもよい。例において、モジュールは、具体的にはプラスチック製又は金属製のコーティング又はケーシングを含み、モジュールの操作を可能とするための複数の接続部又はインターフェース要素１５を備えた、取り外し可能な極小の筺体２として設計されている。
【００１７】
これらの要素の一つとして、モジュールは、底面に生体センサ９（図示せず）を備えてもよく、又は代替的に、別の場所に配置された生体センサに接続するための接続部を備えてもよい。またモジュールは、例においてはベースに格納されたバッテリに接続するための、電源コネクタ１０を備えてもよい。
ベースは、バッテリ（図示せず）の充電を行うための接触部又は接続部１１を含んでもよい。モジュールは、ＰＣ／タッチスクリーンインターフェースを含んでもよい。
【００１８】
その他の特徴及び代替的な解決策によると、アクセサリ又は時計を取り付ける為の手段６Ａ，６Ｂは、ベース４の上、又は固着手段５Ａ，５Ｂ、つまりベルトの上に配置されてもよい。
−好適な実施形態によると、固着手段はここでは、アクセサリの留め具６Ａ，６Ｂが配置された、ベルト５Ａ，５Ｂを含む。
ベルト５Ａ，５Ｂはまた、留め具６Ａ，６Ｂに含まれるものに類似した、ベースに取り付ける為の時計の留め具を備えてもよい。
【００１９】
ベース４は、通信モジュール２を収納するためのハウジング１２を含む。
−ハウジング１２は、モジュールを着脱可能に収納するよう構成される。モジュール上に配置された相補手段（ノッチ、ガイド、ショルダ・・・等）と連携した、当業者に公知のいかなるタイプの取り外し可能な締結手段がハウジングに設けられてもよい。
【００２０】
図３において、機器は、上面視が正方形である感性ディスプレイ７をアクセサリとして含む。ディスプレイは、図１で示されるタイプのベース１４に担持される。
ディスプレイ及び／又はアクセサリ又はベースは、コントローラ及び／又は様々な通信及び／又はＮＦＣ機能を備えていてもよい。ディスプレイは、ユーザとの対話、具体的にはＰＩＮの入力の為に、好ましくは感性英数字キーパッドを含んでもよく、そして場合により保全モジュール２及び／又はベース１４に接続されていてもよい。または、ビジュアルアクセス制御のために、ユーザの写真がディスプレイ装置のスクリーンに表示されてもよい。
【００２１】
１又は複数の制御キー１３が、ベース上に配置されていてもよい。
図４において、機器８はアクセサリとしてユーザの時計８を含む。時計は、時計の留め具６Ａ，６Ｂによってベースに分離可能に固定される。上述のように、美観のために、時計は外から見える位置に配置され、ベース４は隠される。
機器は好ましくは、装着者への固着、または装着者からの離隔を検出するための手段（完全には図示せず）を含んでいてもよい。これらの手段は、例えば、ベース４，１４からベルトの両端５Ａ，５Ｂへ延出し、その末端に容量性板１７，１８を備えた導電回路１６を含んでいてもよい。
【００２２】
ベルトが閉鎖した状態の場合には、容量性板は互いに対向した位置となり、それにより電子回路１６は閉路状態となる。機器はまた、容量性板の間隔に応じてベルトの閉路状態を検出する回路を含む。この回路は、ベースに配置されてもよく、マイクロコントローラの入力端子に情報を供給してもよい。
機器は、認証及び固着の後の好ましくは所定の時間、及び／又は離隔を検出するまでの間、取引を行うよう構成される。
【００２３】
機器は、装着者による署名を行うための動作を検出する手段を含んでいてもよい。従って装着者は認証されると、事実上の署名として、ジェスチャ又は一通りのジェスチャを行うこと、及び／又は、空間内で彼／彼女の腕又は手首を加速させることにより、取引を有効化してもよく、これは内蔵の加速度計及び／又は運動センサにより検知される。
この署名は、検証を行うために、機器のメモリに保存されたデータと比較される。その後、場合によっては暗号化された、又はＯＴＰタイプ（一回使い切り）のイネーブル信号が、皮膚を介した通信を用いて、機器により通信装置へ送信されてもよい。
【００２４】
動作データは、ユーザが一方の手でスクリーンをタッチし、もう一方の手で署名をする間に、暗号化された形で通信装置へ送信されてもよい。通信装置は、検証のため、より具体的には機器へアクセスを与えるため、あるいは取引を進行させるために、動作データを解読し、解読した署名と装置に保存された署名とを比較する。
本発明は、ユーザが生体的及び個別的に認証されるが故に、機器を用いて署名することを可能にするという利点を有する。
【００２５】
アクセサリを機器に取り付けるための、取り外し可能なタイプの手段を用いた実施形態がこれまでに述べられた。しかしながら本発明は、明細書に記載されたその他の特徴又は機能の内の少なくとも一つとして、いずれのアクセサリも用いず、さらにアクセサリ又は時計ケースを取り付けるための手段も用いない状態で、電子機器を使用することを規定してもよい。
【００２６】
以下に、一つの使用及び操作方法を記載する。
セキュアなコンピュータの使用を望むユーザは、機器を用いて認証を行う（図５のステップ１０）。彼／彼女は、装着者を認識させるために、指紋センサ９に彼／彼女の指をのせる。次に彼／彼女は、所定の時間内にベースを彼／彼女の手首に固定し、ベルトを閉じる。ベルトが閉じられると、容量性板１７，１８は接近し、結合が検出回路により検出される。検出回路はマイクロコントローラへ通知する（ステップ２０）。装着者が許容時間内に認証されたことがマイクロコントローラへ通知されると、マイクロコントローラは所望の取引を開始できる状態となる（ステップ３０）。認証は、補助的又は代替的に、音声認識手段により実行されうる。
【００２７】
ユーザは、人体を介して通信を行う認証システムを備えたコンピュータに触れ、身分証明取引がユーザの皮膚を介して行われる（ステップ４０）。
コンピュータ、又はインターネット上のセッショントランザクションのセキュリティシステムは、必要があれば（任意選択として図５の点線内に記載）、ユーザによるＰＩＮ入力を規定してもよい。その場合にはユーザは、具体的にはアクセサリ７を用いて、彼／彼女のコードを感性ディスプレイに入力する（ステップ５０）。このコードは、モジュールによる装着者の認証を再活性化させること、及び／又は、より詳細には商用サイトにおいて取引確認のオンライン送信を許可することを可能とする（ステップ６０）。これにより、取引の間又は取引ごと（ＡＴＭからの銀行預金引き出し、アクセス制御・・・）に追加のアクセサリを提示することなく、取引を個別に有効化することが可能となる。
【００２８】
その後、ユーザは彼／彼女のベルトを外し、それにより容量性板１７，１８は互いに離間する。この離間の状態は検出回路により検出され、マイクロコントローラに通知される（ステップ７０）。
するとマイクロコントローラは、人体を介した通信による全ての取引承認を無効または禁止とする（ステップ８０）。
【図１】
2014524702.tif 000003
【図２】
2014524702.tif 000004
【図３】
2014524702.tif 000005
【図４】
2014524702.tif 000006
【図５】
2014524702.tif 000007
【国際調査報告】
2014524702.tif 000008
2014524702.tif 000009
2014524702.tif 000010
2014524702.tif 000011
2014524702.tif 000012
2014524702.tif 000013